(57)【要約】【課題】簡易かつ安全な方法により復号鍵を供給することができる移動体通信端末、通信システム及び復号鍵供給方法を提供する。【解決手段】地上波デジタル放送を受信する受信処理部１２と、受信された地上波デジタル放送のスクランブルを復号鍵により解除するスクランブル解析処理部１３と、復号鍵供給装置４から無線通信回線を介して、固体ＩＤ及び復号鍵を含む視聴許可データを取得する通信処理部１７と、固体ＩＤを記憶するＩＤ記憶部２０と、ＩＤ記憶部に記憶された固体ＩＤ及び視聴許可データに含まれる固体ＩＤを比較し、この比較結果に基づいて視聴許可データから復号鍵を抽出する復号鍵抽出部１０により構成される。【選択図】        図２
2004236136.tif 000002
【特許請求の範囲】
【請求項１】
地上波デジタル放送を受信する放送受信処理部と、
受信された地上波デジタル放送のスクランブルを復号鍵により解除するスクランブル解除処理部と、
復号鍵供給装置から無線通信回線を介して、識別データ及び復号鍵を含む視聴許可データを取得する通信処理部と、
端末ＩＤを記憶するＩＤ記憶部と、
ＩＤ記憶部に記憶された端末ＩＤ及び視聴許可データに含まれる識別データを比較し、この比較結果に基づいて視聴許可データから復号鍵を抽出する復号鍵抽出部を備えたことを特徴とする移動体通信端末。
【請求項２】
上記通信処理部は、期限情報を含む視聴許可データを取得し、
上記復号鍵抽出部は、スクランブル解除後の地上波デジタル放送から抽出された日時情報及び視聴許可データに含まれる期限情報を比較し、
上記スクランブル解除処理部は、日時情報及び期限情報の比較結果に基づいて、スクランブル解除を終了することを特徴とする請求項１に記載の移動体通信端末。
【請求項３】
受信された地上波デジタル放送の画像表示を行う表示処理部を備え、
表示処理部は、上記復号鍵抽出部による日時情報及び期限情報の比較結果に基づいて、スクランブル解除後の地上波デジタル放送の画面表示を開始することを特徴とする請求項２に記載の移動体通信端末。
【請求項４】
上記通信処理部は、復号鍵供給装置に対して無線通信回線を介し、スクランブル解除後の地上波デジタル放送から抽出された日時情報を出力することを特徴とする請求項１に記載の移動体通信端末。
【請求項５】
上記通信処理部は、告知情報を含む視聴許可データを取得し、
上記復号鍵抽出部は、視聴許可データに含まれる告知情報に基づくユーザの承諾後に復号鍵を抽出することを特徴とする請求項１に記載の移動体通信端末。
【請求項６】
移動体通信端末と、無線通信回線を介して移動体通信端末に接続される復号鍵供給装置からなり、
移動体通信端末は、地上波デジタル放送を受信する放送受信処理部と、受信された地上波デジタル放送のスクランブルを復号鍵により解除するスクランブル解除処理部と、復号鍵供給装置から無線通信回線を介して、識別データ及び復号鍵を含む視聴許可データを取得する通信処理部と、端末ＩＤを記憶するＩＤ記憶部と、端末ＩＤを含む視聴要求データを生成する一方、ＩＤ記憶部に記憶された端末ＩＤ及び視聴許可データに含まれる識別データを比較し、この比較結果に基づいて視聴許可データから復号鍵を抽出する復号鍵抽出部を備え、
復号鍵供給装置は、無線通信回線を介して移動体通信端末により出力された視聴要求データに基づいて視聴許可データを生成する復号鍵生成部と、視聴要求データに含まれる端末ＩＤに基づいて、地上波デジタル放送の視聴に対する課金を行う課金処理部を備えたことを特徴とする通信システム。
【請求項７】
上記通信処理部は、復号鍵供給装置に対して無線通信回線を介し、スクランブル解除後の地上波デジタル放送から抽出された日時情報を出力し、
上記課金処理部は、この日時情報に基づいて課金を行うことを特徴とする請求項６に記載の通信システム。
【請求項８】
地上波デジタル放送を受信する放送受信ステップと、受信された地上波デジタル放送のスクランブルを復号鍵により解除するスクランブル解除ステップと、無線通信回線を介して識別データ及び復号鍵を含む視聴許可データを取得する鍵データ通信ステップと、端末ＩＤを含む視聴要求データを生成する一方、ＩＤ記憶部に記憶された端末ＩＤ及び視聴許可データに含まれる識別データを比較し、この比較結果に基づいて視聴許可データから復号鍵を抽出する復号鍵抽出ステップと、無線通信回線を介して取得された視聴要求データに基づいて視聴許可データを生成する復号鍵生成ステップと、視聴要求データに含まれる端末ＩＤに基づいて、地上波デジタル放送の視聴に対する課金を行う課金ステップからなることを特徴とする復号鍵供給方法。
【発明の詳細な説明】
【０００１】
【発明の属する技術分野】
本発明は、移動体通信端末、通信システム及び復号鍵供給方法に係り、より詳しくは、地上波デジタル放送の受信を行うとともに、無線通信回線を介して地上波デジタル放送のスクランブル解除のための復号鍵を取得する移動体通信端末に関する。
【０００２】
【従来の技術】
従来技術としては、例えば、特許文献１に記載のものがある。この特許文献１に記載の復号鍵供給システムは、番組購入用端末を街角に設置し、番組購入用端末に対してユーザが所定の操作を行い、ユーザが有する復号鍵格納装置に希望の有料番組を復号するための復号鍵を格納できるようにし、その復号鍵を用いて暗号化された有料番組を復号して、ユーザが希望の有料番組の視聴を行う。また、復号鍵供給側が復号鍵格納装置を識別可能とする認証用ＩＤの照合を行い、正当な復号鍵格納装置が用いられていることを確認するように構成される。
【０００３】
【特許文献１】
特開２００２−９４４７３号公報
【０００４】
【発明が解決しようとする課題】
地上波デジタル放送が商用化されていないので、衛星放送における有料放送についての従来の課金システムを例にとって説明する。衛星放送における有料放送の視聴に対する課金システムは、据置型のＴＶ受信機を対象としており、衛星放送の受信についての加入契約時に有料放送の料金を一括して支払う方式、あるいは、番組ごとに料金を支払うＰＰＶ（Ｐａｙ  Ｐｅｒ  Ｖｉｅｗ）方式などの課金が行われている。従って、実際に番組を視聴していなくても、視聴申し込み条件にしたがって課金が行われてしまう。
【０００５】
ところで、携帯電話機としての機能及び地上波デジタル放送の受信機能を備えたハイブリット携帯端末などの可搬型のＴＶ受信機では、車や電車などによる移動しながらの視聴時において、障害物や自然条件の変化により放送が受信できなくなってしまう可能性がある。また、公共の場などでは、視聴できないことも考えられる。このため、実際に視聴していないにもかかわらず課金されてしまう従来の課金システムは、この様な可搬型ＴＶ受信機の使用形態に適さない。
【０００６】
また、従来の衛星放送の受信システムでは、有料放送のスクランブルを解除するための復号鍵の供給媒体として、ＴＶチューナ挿入型の専用のＩＣカード（ＣＡＳカードなど）が用いられている。しかし、この様なＩＣカードなどのデバイスを可搬型ＴＶ受信機に適用するのは、サイズ及びコストの面から好ましくない。
【０００７】
本発明は、上記事情に鑑みてなされたものであり、地上波デジタル放送の受信を行うとともに、無線通信回線を介して地上波デジタル放送のスクランブル解除のための復号鍵を取得するハイブリット携帯端末などの移動体通信端末に関し、簡易かつ安全な方法により復号鍵を供給することができる移動体通信端末、通信システム及び復号鍵供給方法を提供することを目的としている。また、移動体通信端末の使用形態に即したフレキシブルな課金方法を提供することを目的としている。
【０００８】
【課題を解決するための手段】
本発明による移動体通信端末は、地上波デジタル放送を受信する放送受信処理部と、受信された地上波デジタル放送のスクランブルを復号鍵により解除するスクランブル解除処理部と、復号鍵供給装置から無線通信回線を介して、識別データ及び復号鍵を含む視聴許可データを取得する通信処理部と、端末ＩＤを記憶するＩＤ記憶部と、ＩＤ記憶部に記憶された端末ＩＤ及び視聴許可データに含まれる識別データを比較し、この比較結果に基づいて視聴許可データから復号鍵を抽出する復号鍵抽出部により構成される。
【０００９】
この様な構成によれば、インターネットなどを経由して無線通信回線により復号鍵を簡易に入手することができる。また、端末ＩＤによる識別結果に基づいて視聴許可データから復号鍵が抽出されるので、簡易でありながら安全に復号鍵の供給を行うことができる。
【００１０】
本発明による通信システムは、移動体通信端末と、無線通信回線を介して移動体通信端末に接続される復号鍵供給装置からなり、移動体通信端末は、地上波デジタル放送を受信する放送受信処理部と、受信された地上波デジタル放送のスクランブルを復号鍵により解除するスクランブル解除処理部と、復号鍵供給装置から無線通信回線を介して、識別データ及び復号鍵を含む視聴許可データを取得する通信処理部と、端末ＩＤを記憶するＩＤ記憶部と、端末ＩＤを含む視聴要求データを生成する一方、ＩＤ記憶部に記憶された端末ＩＤ及び視聴許可データに含まれる識別データを比較し、この比較結果に基づいて視聴許可データから復号鍵を抽出する復号鍵抽出部を備え、復号鍵供給装置は、無線通信回線を介して移動体通信端末により出力された視聴要求データに基づいて視聴許可データを生成する復号鍵生成部と、視聴要求データに含まれる端末ＩＤに基づいて、地上波デジタル放送の視聴に対する課金を行う課金処理部を備えて構成される。
【００１１】
【発明の実施の形態】
実施の形態１．
図１は、本発明の実施の形態１による通信システムの一構成例を示した模式図である。本実施の形態の通信システムは、ハイブリット携帯端末１、無線基地局２、インターネット３及び復号鍵供給装置４からなり、ハイブリット携帯端末１は、インターネット３及び無線通信回線を経由して復号鍵供給装置４から復号鍵を簡易に入手することができる。
【００１２】
ハイブリット携帯端末１は、地上波デジタル放送局Ａにより送信された地上波デジタル放送を受信して視聴することができる移動体通信端末であり、ここでは携帯端末であるものとする。この地上波デジタル放送のうち、有料放送にはスクランブル（暗号化）処理が施されている。一方、所定のエリアをカバーする無線基地局２との間において無線通信回線による通信データの送受信を行うことができる。
【００１３】
携帯端末１において有料放送を視聴しようとする場合、携帯端末１から復号鍵供給装置４へ視聴要求データが出力される。この視聴要求データは、視聴したい有料放送のスクランブルを解除するための復号鍵（データ）を要求する通信データである。
【００１４】
携帯端末１から出力された視聴要求データは、無線通信回線を介して無線基地局２へ送信され、インターネット３を介して復号鍵供給装置４に伝送される。インターネット３を介しての伝送は、所定のＩＰ（インターネットプロトコル）アドレスに基づいて行われる。
【００１５】
ここで、視聴要求データには、視聴を希望する番組名に対応する番組データと、ハイブリット携帯端末１を識別するための端末ＩＤが含まれている。
【００１６】
復号鍵供給装置４は、インターネット３を経由して伝送された視聴要求データに基づいて、復号鍵の生成を行っている。この復号鍵供給装置４は、サーバ５、復号鍵生成部６、課金処理部７、加入者データベース８及び課金データベース９により構成される。
【００１７】
インターネット３を経由して入力される視聴要求データは、サーバ５により取り込まれ、復号鍵生成部６及び課金処理部７へ出力される。サーバ５は、インターネット３を介してパケットデータの送受信を行うデータ送受信手段である。ここでは、ＷＷＷサーバまたはメールサーバからなり、視聴要求データが電子メールにより伝送される場合には、メールサーバが用いられる。
【００１８】
復号鍵生成部６は、サーバ５からの視聴要求データに基づいて、視聴したい有料放送に対応した復号鍵を生成している。復号鍵は、視聴要求データに含まれる視聴希望番組データに基づいて生成され、視聴希望番組データと、視聴要求データに含まれる端末ＩＤとともに、視聴許可データとしてサーバ５へ出力される。
【００１９】
課金処理部７は、加入者データベース８を用いて視聴要求を行った携帯端末１の加入者を特定し、課金データベース９に当該加入者に対する課金情報を書き込んでいる。加入者データベース８には、携帯端末１の加入契約に関するデータが格納されているため、携帯端末１の端末ＩＤに基づいて加入者データベース８を検索することにより、課金対象となる加入者を特定することができる。
【００２０】
従って、有料放送の視聴料金は、課金データベース９に基づいて、例えば、番組終了から一定期間が経過した後に携帯電話の利用料金として徴収される。
【００２１】
視聴許可データは、サーバ５からインターネット３を経由して無線基地局２へ伝送され、無線通信回線を介して携帯端末１へ送信される。携帯端末１は、この視聴許可データを無線通信回線を介して取得し、視聴許可データに含まれる復号鍵に基づいて有料放送のスクランブル解除を行っている。
【００２２】
図２は、図１の通信システムにおけるハイブリット携帯端末の構成例を示したブロック図である。ハイブリット携帯端末１は、視聴許可データを無線通信回線を介して受信し、端末ＩＤによる識別結果に基づいて復号鍵の抽出を行っている。
【００２３】
この携帯端末１は、復号鍵抽出部１０、ＴＶ受信アンテナ１１、ＴＶ受信処理部１２、スクランブル解析処理部１３、表示処理部１４、キー入力処理部１５、無線通信処理部１７、通信アンテナ１８及び固体ＩＤ記憶部２０により構成される。
【００２４】
ＴＶ受信処理部１２は、ＴＶ受信アンテナ１１を介して受信した地上波デジタル放送の受信処理、すなわち、受信信号の電力増幅、検波及びデジタル・アナログ変換などを行っている。受信処理後の受信信号は、ＴＶ受信信号としてスクランブル解析処理部１３へ出力される。
【００２５】
スクランブル解析処理部１３は、ＴＶ受信処理部１２からのＴＶ受信信号に対し、復号鍵に基づいてスクランブルの解除処理を行っている。スクランブルされたＴＶ受信信号を復号するための復号鍵は、復号鍵抽出部１０により出力される。スクランブル解除後のＴＶ受信信号は、表示処理部１４へ出力され、ＴＶ画像として画面表示される。
【００２６】
キー入力処理部１５は、文字入力のための複数の入力キー、例えば、番号キーなどを備え、ユーザによるキー入力の処理を行っている。無線通信処理部１７は、通信アンテナ１８を介して送受信される通信データに対し、電力増幅及び周波数変換などの送受信処理を行っている。
【００２７】
固体ＩＤ記憶部２０は、携帯端末１に固有の識別データとして予め与えられた端末ＩＤを格納している。
【００２８】
復号鍵抽出部１０は、視聴要求データの出力を行う一方、端末ＩＤによる識別結果に基づいて復号鍵の抽出を行っている。この復号鍵抽出部１０は、視聴要求データ生成部１６及びＩＤ識別部１９からなる。
【００２９】
視聴要求データ生成部１６は、キー入力処理部１５においてユーザにより入力された視聴希望番組データと、固体ＩＤ記憶部２０に格納された端末ＩＤに基づいて、視聴要求データを生成している。生成した視聴要求データは、無線通信処理部１７へ出力され、通信アンテナ１８を介して送信される。
【００３０】
ＩＤ識別部１９は、固体ＩＤ記憶部２０に格納された端末ＩＤと、視聴許可データに含まれる端末ＩＤを比較し、比較結果に基づいて視聴許可データから復号鍵の抽出を行っている。視聴許可データは、通信アンテナ１８を介して受信され、無線通信処理部１７により出力される。
【００３１】
この様な端末ＩＤの比較による携帯端末１の識別は、固体ＩＤ記憶部２０に記憶された端末ＩＤ及び視聴許可データに含まれる端末ＩＤが一致するか否かにより行われる。端末ＩＤが一致した場合には、視聴許可データを取得した携帯端末１が復号鍵供給装置４により視聴を許可された携帯端末１であるとみなされ、復号鍵の抽出が行われる。抽出された復号鍵はスクランブル解析処理部１３へ出力される。
【００３２】
一方、端末ＩＤが一致しない場合には、視聴許可データが不正に取得されたとして復号鍵の抽出は行われない。従って、端末ＩＤが一致する場合にのみ復号鍵が復号鍵抽出部１０からスクランブル解析処理部１３に出力される。
【００３３】
図３は、図２のハイブリット携帯端末において生成される通信データの一例を示した説明図であり、視聴要求データのフォーマットを表している。携帯端末１の視聴要求データ生成部１６において生成された視聴要求データ２１には、視聴希望番組データ２１ａ、固体ＩＤ２１ｂ及びその他の情報１〜４が含まれている。
【００３４】
視聴希望番組データ２１ａは、インターネットまたはＴＶ放送などを介して予め入手された番組表をもとにユーザにより入力されたデータであり、例えば、視聴を希望する番組名である。固体ＩＤ２１ｂは、固体ＩＤ記憶部２０に格納された端末ＩＤと同一のデータである。視聴希望番組データ２１ａ、固体ＩＤ２１ｂ、その他情報１〜４の順に視聴要求データ２１が構成される。
【００３５】
図４は、図１の通信システムにおける復号鍵供給装置において生成される通信データの一例を示した説明図であり、視聴許可データのフォーマットを表している。復号鍵供給装置４の復号鍵生成部６において生成された視聴許可データ２２には、視聴希望番組データ２２ａ、固体ＩＤ２２ｂ、復号鍵データ２２ｃ及びその他情報２〜４が含まれている。
【００３６】
視聴希望番組データ２２ａ及び固体ＩＤ２２ｂは、それぞれ視聴要求データ２１の視聴希望番組データ２１ａ及び固体ＩＤ２１ｂと同一のデータである。また、復号鍵データ２２ｃは、ユーザが視聴を希望する放送番組に対応して生成された復号鍵である。視聴希望番組データ２２ａ、固体ＩＤ２２ｂ、復号鍵データ２２ｃ、その他情報２〜４の順に視聴許可データ２２が構成される。
【００３７】
図５及び図６のステップＳ１０１〜Ｓ１０９は、図１の通信システムにおける動作例を示したフローチャートである。ユーザは、予め入手した有料放送番組表から視聴したい番組を選択し、その番組名を携帯端末１に入力する。携帯端末１の視聴要求データ生成部１６は、この番組名の入力結果に基づいて視聴要求データ２１を生成する。生成された視聴要求データ２１は、無線通信処理部１７により通信アンテナ１８を介して送信される（ステップＳ１０１）。
【００３８】
送信された視聴要求データ２１は、無線通信回線を介してエリア内の無線基地局２により受信され、インターネット３を介して復号鍵供給装置４に伝送される。
【００３９】
伝送された視聴要求データ２１は、サーバ５に取り込まれて復号鍵生成部６に出力される。復号鍵生成部６は、この視聴要求データ２１に基づいて復号鍵データ２２ｃが含まれる視聴許可データ２２を生成する（ステップＳ１０２）。
【００４０】
生成された視聴許可データ２２は、サーバ５に出力され、サーバ５からインターネット３を介して無線基地局２に伝送される。伝送された視聴許可データ２２は、無線基地局２から無線通信回線を介して送信され、携帯端末１により受信される。
【００４１】
無線通信処理部１７により通信アンテナ１８を介して受信された視聴許可データ２２は、復号鍵抽出部１０のＩＤ識別部１９に出力される。その後、ユーザによるＴＶ放送の視聴開始の操作をトリガにして、ＩＤ識別部１９により視聴許可データ２２から固体ＩＤ２２ｂ及び復号鍵データ２２ｃが分離される（ステップＳ１０３）。
【００４２】
ＩＤ識別部１９は、固体ＩＤ記憶部２０から固体ＩＤを読み出し（ステップＳ１０４）、読み出した固体ＩＤと、視聴許可データ２２から分離された固体ＩＤ２２ｂを比較する（ステップＳ１０５）。
【００４３】
比較の結果、固体ＩＤが一致した場合には、視聴許可データ２２から分離された復号鍵データ２２ｃがスクランブル解析処理部１３に出力される（ステップＳ１０６）。固体ＩＤが一致しない場合には、復号鍵データ２２ｃは出力されず、以降のスクランブル解除動作を行わずに処理は終了される。
【００４４】
スクランブル解析処理部１３は、ＩＤ識別部１９からの復号鍵データ２２ｃに基づいて、ＴＶ受信処理部１２から入力されたＴＶ受信信号に対してスクランブルの解除動作を実行する（ステップＳ１０７）。スクランブル解除後のＴＶ受信信号は、表示処理部１４に出力され、ＴＶ放送が画面表示される。この時点でユーザは、有料放送番組の視聴が可能となる。
【００４５】
スクランブル解析処理部１３におけるスクランブル解除動作は、番組終了まで継続される。ＴＶ受信処理部１２は、受信信号に基づいて受信中のＴＶ放送の番組終了を検出し、番組終了を検知すると、終了信号をスクランブル解析処理部１３に出力する（ステップＳ１０８）。
【００４６】
スクランブル解析処理部１３は、ＴＶ受信処理部１２からの終了信号に基づいて、スクランブル解除動作を終了する（ステップＳ１０９）。
【００４７】
本実施の形態によれば、ＣＡＳカードのような専用のデバイスを必要とすることなく、復号鍵を復号鍵供給装置４から携帯端末１に容易に供給することができる。また、端末ＩＤによる識別結果に基づいて復号鍵が携帯端末１において抽出されるので、復号鍵の不正使用を防ぐことができ、安全に復号鍵を供給することができる。
【００４８】
また、視聴要求データ２１に固体ＩＤ２１ｂが含まれているので、視聴要求データ２１を送信した携帯端末１を容易に特定することができ、復号鍵の供給対象としての端末を幅広く構成することができる。
【００４９】
なお、本実施の形態では、視聴許可データに端末ＩＤが含まれる場合の例について説明したが、端末ＩＤに代えて、端末ＩＤに対応づけられた識別データを用いることもできる。すなわち、復号鍵供給装置が、識別データ及び復号鍵を含む視聴許可データを生成し、携帯端末が視聴許可データから識別データを抽出し、端末ＩＤに対応するか否かを判別するように構成することもできる。
【００５０】
実施の形態２．
図７は、本発明の実施の形態２によるハイブリット携帯端末の構成例を示したブロック図である。本実施の形態のハイブリット携帯端末１００は、図２の携帯端末１（実施の形態１）と比較して、復号鍵抽出部２３に告知処理部２４を備え、端末ＩＤによる携帯端末の識別後にユーザの承諾確認を行っている点で異なる。
【００５１】
復号鍵供給装置４により、告知情報が含まれた視聴許可データが供給される。ている。この告知情報は、有料放送の視聴料金情報、課金条件及び注意事項などであり、視聴を開始する前にユーザに告知しておきたい情報及びユーザの承諾を得たい情報が含まれている。
【００５２】
携帯端末１００のＩＤ識別部１９は、視聴許可データから告知情報を抽出し、端末ＩＤによる識別結果に基づいて復号鍵とともに告知処理部２４へ出力している。告知情報は、告知処理部２４により表示処理部１４へ出力され、告知内容が画面表示される。
【００５３】
告知処理部２４は、告知情報の出力後、告知内容についてのユーザの承諾を照会するモードに移行し、暗証番号などが入力されるまで待機する。キー入力処理部１５において暗証番号などが入力されると、告知処理部２４は、入力結果に基づいて復号鍵をスクランブル解析処理部１３へ出力する。
【００５４】
復号鍵は、告知処理部２４に予め記憶された暗証番号と、キー入力処理部１５において新たに入力された暗証番号が一致しない場合など、ユーザの承諾が得られない場合には出力されず、ユーザの承諾が得られた場合にのみスクランブル解析処理部１３に出力される。
【００５５】
従って、ユーザによる承諾が得られない場合には、ＴＶ放送のスクランブル解除は行われない。その他の構成は、図２の携帯端末１と同様である。
【００５６】
図８は、図７のハイブリット携帯端末に供給される通信データの一例を示した説明図であり、視聴許可データのフォーマットを表している。復号鍵供給装置４から供給される視聴許可データ２５には、視聴希望番組データ２２ａ、固体ＩＤ２２ｂ、復号鍵データ２２ｃ、告知情報２５ａ及びその他情報３〜４が含まれている。告知情報２５ａには、ＴＶ放送の視聴を開始する前にユーザに告知しておきたい情報、注意事項及びユーザの承諾を得たい情報が含まれている。
【００５７】
図９及び図１０のステップＳ２０１〜Ｓ２０７は、図７のハイブリット携帯端末における動作例を示したフローチャートであり、図５のステップＳ１０１〜Ｓ１０５の後に行われる処理手順を表している。ステップＳ１０５において、固体ＩＤによる比較の結果、固体ＩＤが一致した場合に、視聴許可データ２５から分離された復号鍵データ２２ｃ及び告知情報２５ａが告知処理部２４に出力される。
【００５８】
告知情報２５ａは、告知処理部２４により表示処理部１４に出力され、表示処理部１４において告知内容が表示される（ステップＳ２０１）。
【００５９】
告知内容の表示後、告知処理部２４は、告知内容についてのユーザの承諾を照会するモードに移行し、ユーザによる入力待ちとなる（ステップＳ２０２）。
【００６０】
ユーザ入力が行われると、入力結果に基づいて、告知情報２５ａの要求に対して適切な入力が行われたか否かが判別される（ステップＳ２０３）。
【００６１】
適切な入力が行われた場合には、ユーザによる承諾が得られたとみなして、告知処理部２４により復号鍵データ２２ｃがスクランブル解析処理部１３に出力される（ステップＳ２０４）。適切な入力が行われない場合には、復号鍵データ２２ｃは出力されず、以降のスクランブル解除動作を行わずに処理は終了される。
【００６２】
ステップＳ２０４〜Ｓ２０７は、図６のステップＳ１０６〜Ｓ１０９の処理手順と同様にして行われる。
【００６３】
本実施の形態によれば、ユーザによる承諾が得られない場合にはスクランブル解除が行われないので、ユーザの意図しない番組の視聴開始、あるいは、他人による携帯端末１００の不正使用を防止することができる。
【００６４】
実施の形態３．
図１１は、本発明の実施の形態３によるハイブリット携帯端末の構成例を示したブロック図である。本実施の形態のハイブリット携帯端末１１０は、図７の携帯端末１００（実施の形態２）と比較して、告知処理部２４に代えて告知及び期限処理部３０を復号鍵抽出部２９に備え、スクランブル解析処理部２６が解除処理部２７及び日時抽出部２８からなる点で異なる。この携帯端末１１０では、ユーザによる告知情報の承諾後において復号鍵の有効期限の管理を行っている。
【００６５】
復号鍵供給装置４により、告知情報とともに有効期限データが含まれた視聴許可データが供給される。この有効期限データには、有料放送視聴のための復号鍵の有効期限を示す日時情報が含まれている。
【００６６】
携帯端末１１０のＩＤ識別部１９は、視聴許可データから有効期限データを抽出し、端末ＩＤによる識別結果に基づいて復号鍵及び告知情報とともに、告知及び期限処理部３０へ出力している。
【００６７】
解除処理部２７は、告知及び期限処理部３０からの復号鍵に基づいて、ＴＶ受信信号のスクランブル解除を行っている。スクランブル解除後のＴＶ受信信号は、日時抽出部２８へ出力される。
【００６８】
日時抽出部２８は、解除処理部２７からのＴＶ受信信号を表示処理部１４に出力する一方、スクランブル解除後のＴＶ受信信号から放送波のＮＰＴ（Ｎｏｒｍａｌ  Ｐｌａｙ  Ｔｉｍｅ）を取得し、受信中のＴＶ放送に対応する日時情報を抽出している。抽出された日時情報は、告知及び期限処理部３０へ出力される。
【００６９】
告知及び期限処理部３０は、告知情報の承諾確認後に、復号鍵を解除処理部２７へ出力している。また、告知及び期限処理部３０は、ＩＤ識別部１９からの有効期限データと、日時抽出部２８からの日時情報を比較し、比較結果に基づいて、供給された復号鍵の有効期限を判別している。
【００７０】
例えば、復号鍵の有効期限が９月２８日であり、ＮＰＴから抽出された日時情報が９月２７日であれば、有効期限内なので、供給された復号鍵は有効であると判別される。有効であると判別された場合には、ＴＶ放送の表示を開始させる表示開始信号が表示処理部１４へ出力される。
【００７１】
一方、有効期限が経過した復号鍵は、無効であると判別される。無効であると判別された場合には、スクランブル解除を終了させる終了信号が解除処理部２７へ出力される。
【００７２】
表示処理部１４は、告知及び期限処理部３０からの表示開始信号に基づいて、スクランブル解除後のＴＶ放送の画面表示を開始する。従って、表示開始信号が入力されるまで表示は停止している。
【００７３】
解除処理部２７は、告知及び期限処理部３０からの終了信号に基づいて、スクランブル解除動作を終了する。つまり、復号鍵の有効期限が経過するまでは、番組を視聴することができ、有効期限が経過すると、スクランブル解除は終了される。その他の構成は、図７の携帯端末１００と同様である。
【００７４】
図１２は、図１１のハイブリット携帯端末に供給される通信データの一例を示した説明図である。復号鍵供給装置４から供給される視聴許可データ３１は、視聴希望番組データ２２ａ、固体ＩＤ２２ｂ、復号鍵データ２２ｃ、告知情報２５ａ、有効期限データ３１ａ及びその他情報４からなり、有効期限データ３１ａには、復号鍵データ２２ｃの有効期限を示す日時情報が含まれている。
【００７５】
図１３のステップＳ３０１〜Ｓ３０７は、図１１のハイブリット携帯端末における動作例を示したフローチャートであり、図９のステップＳ２０１〜Ｓ２０３の後に行われる処理手順を表している。ステップＳ２０３において、ユーザの承諾確認後、告知及び期限処理部３０により復号鍵データ２２ｃが解除処理部２７に出力される（ステップＳ３０１）。
【００７６】
解除処理部２７は、告知及び期限処理部３０からの復号鍵データ２２ｃに基づいて、ＴＶ受信処理部１２から入力されたＴＶ受信信号に対してスクランブルの解除動作を実行し、スクランブル解除後のＴＶ受信信号が日時抽出部２８を介して表示処理部１４に出力される（ステップＳ３０２）。このとき、表示処理部１４は、番組表示を行わず、画面表示を一旦停止する。
【００７７】
日時抽出部２８は、スクランブル解除後のＴＶ受信信号からＮＰＴの日時情報を取得し、告知及び期限処理部３０に出力する（ステップＳ３０３）。
【００７８】
告知及び期限処理部３０は、ＩＤ識別部１９からの有効期限データ３１ａと、日時抽出部２８からの日時情報を比較し、比較結果に基づいて供給された復号鍵データ２２ｃの有効期限を判別する（ステップＳ３０４）。
【００７９】
復号鍵データ２２ｃが有効であると判別された場合には、表示開始信号が出力され、表示処理部１４における表示の停止状態が解除され、ＴＶ放送の画面表示が開始される（ステップＳ３０５）。画面表示の開始後、ＴＶ放送は番組終了まで表示され、番組終了後も有効期限内は、ＴＶ放送が表示される（ステップＳ３０６，Ｓ３０４）。
【００８０】
一方、有効期限が経過し、復号鍵データ２２ｃが無効であると判別された場合には、終了信号が出力され、解除処理部２７におけるスクランブル解除が終了される（ステップＳ３０７）。
【００８１】
本実施の形態によれば、供給された復号鍵データ２２ｃの有効期限データ３１ａと、ＴＶ受信信号から抽出した日時情報に基づいて、有料放送の番組視聴に対する管理をきめ細かく行うことができる。
【００８２】
実施の形態４．
本実施の形態のハイブリット携帯端末１２０では、番組視聴に対する視聴記録を行っている。この携帯端末１２０のＩＤ識別部１９は、受信中のＴＶ放送から抽出された日時情報を視聴記録データとして記憶し、視聴許可データに付与している。日時情報の記憶動作は、実際に表示された放送番組に対して行われる。
【００８３】
視聴記録データが付与された視聴許可データは、無線通信処理部１７により通信アンテナ１８を介して送信される。視聴許可データの送信は、番組視聴の終了後にユーザ操作に基づいて行われる。復号鍵供給装置４では、この視聴許可データに含まれる視聴記録データに基づいて課金処理を行っている。その他の構成は、図１１の携帯端末１１０（実施の形態３）と同様である。
【００８４】
図１４は、本発明の実施の形態４による携帯端末に供給される通信データの一例を示した説明図である。携帯端末１２０から復号鍵供給装置４に送信される視聴許可データ３２は、視聴希望番組データ２２ａ、固体ＩＤ２２ｂ、復号鍵データ２２ｃ、告知情報２５ａ、有効期限データ３１ａ及び視聴記録データ３２ａからなり、視聴記録データ３２ａには、実際に視聴された番組の視聴記録が含まれている。
【００８５】
図１５のステップＳ４０１〜Ｓ４０９は、本発明の実施の形態４による携帯端末における動作例を示したフローチャートであり、図９のステップＳ２０１〜Ｓ２０３の後に行われる処理手順を表している。ステップＳ４０１〜Ｓ４０５は、図１３のステップＳ３０１〜Ｓ３０５の処理手順と同様である。
【００８６】
ステップＳ４０５において、ＴＶ放送の画面表示が開始されると、受信中のＴＶ受信信号から抽出されて日時抽出部２８により出力された日時情報が、告知及び期限処理部３０を介してＩＤ識別部１９に入力される（ステップＳ４０６）。
【００８７】
ＩＤ識別部１９は、取得した日時情報を視聴記録データ３２ａとして所定の記憶周期で記憶する（ステップＳ４０７）。この視聴記録データ３２ａは、視聴許可データ３２に付与され、番組視聴の終了後にユーザ操作に基づいて無線通信処理部１７に出力される。出力された視聴許可データ３２は、通信アンテナ１８を介して復号鍵供給装置４に送信される。
【００８８】
この様な視聴記録は、受信中の番組終了まで行われ（ステップＳ４０８）、番組が終了すると、告知及び期限処理部３０により復号鍵データ２２ｃの有効期限の判別が行われる（ステップＳ４０４）。
【００８９】
本実施の形態によれば、番組視聴記録に基づいて課金するので、実際の番組視聴の状況に応じた料金徴収を行うことができる。例えば、視聴要求はしたが、実際には視聴しなかった場合は課金されない、あるいは、視聴時間に応じた課金を行うということが可能となる。
【００９０】
【発明の効果】
以上、説明したように本発明による移動体通信端末、通信システム及び復号鍵供給方法によれば、簡易かつ安全な方法により復号鍵を供給することができる。また、移動体通信端末の使用形態に即したフレキシブルな課金を行うことができる。
【図面の簡単な説明】
【図１】本発明の実施の形態１による通信システムの一構成例を示した模式図である。
【図２】図１の通信システムにおけるハイブリット携帯端末の構成例を示したブロック図である。
【図３】図２のハイブリット携帯端末において生成される通信データの一例を示した説明図である。
【図４】図１の通信システムにおける復号鍵供給装置において生成される通信データの一例を示した説明図である。
【図５】図１の通信システムにおける動作例を示したフローチャートである。
【図６】図１の通信システムにおける動作例を示したフローチャートである。
【図７】本発明の実施の形態２によるハイブリット携帯端末の構成例を示したブロック図である。
【図８】図７のハイブリット携帯端末に供給される通信データの一例を示した説明図である。
【図９】図７のハイブリット携帯端末における動作例を示したフローチャートである。
【図１０】図７のハイブリット携帯端末における動作例を示したフローチャートである。
【図１１】本発明の実施の形態３によるハイブリット携帯端末の構成例を示したブロック図である。
【図１２】図１１のハイブリット携帯端末に供給される通信データの一例を示した説明図である。
【図１３】図１１のハイブリット携帯端末における動作例を示したフローチャートである。
【図１４】本発明の実施の形態４による携帯端末に供給される通信データの一例を示した説明図である。
【図１５】本発明の実施の形態４による携帯端末における動作例を示したフローチャートである。
【符号の説明】
１  ハイブリット携帯端末、２  無線基地局、３  インターネット、
４  復号鍵供給装置、５  サーバ、６  復号鍵生成部、７  課金処理部、
８  加入者データベース、９  課金データベース、
１０，２３，２９  復号鍵抽出部、１１  ＴＶ受信アンテナ、
１２  ＴＶ受信処理部、１３，２６  スクランブル解析処理部、
１４  表示処理部、１５  キー入力処理部、１６  視聴要求データ生成部、
１７  無線通信処理部、１８  通信アンテナ、１９  ＩＤ識別部、
２０  固体ＩＤ記憶部、２４  告知処理部、２７  解除処理部、
２８  日時抽出部、３０  告知及び期限処理部
【図１】
2004236136.tif 000003
【図２】
2004236136.tif 000004
【図３】
2004236136.tif 000005
【図４】
2004236136.tif 000006
【図５】
2004236136.tif 000007
【図６】
2004236136.tif 000008
【図７】
2004236136.tif 000009
【図８】
2004236136.tif 000010
【図９】
2004236136.tif 000011
【図１０】
2004236136.tif 000012
【図１１】
2004236136.tif 000013
【図１２】
2004236136.tif 000014
【図１３】
2004236136.tif 000015
【図１４】
2004236136.tif 000016
【図１５】
2004236136.tif 000017